(57)【特許請求の範囲】
【請求項１】
第１の波長と第２の波長の通信光を発する１つのＯＬＴ（Ｏｐｔｉｃａｌ  Ｌｉｎｅ  Ｔｅｒｍｉｎａｌ）（９６）と、第３の波長の通信光を発する複数のＯＮＵ（Ｏｐｔｉｃａｌ  Ｎｅｔｗｏｒｋ  Ｕｎｉｔ）（９７＿１〜９７＿Ｎ）とを接続するＰＯＮ（Ｐａｓｓｉｖｅ  Ｏｐｔｉｃａｌ  Ｎｅｔｗｏｒｋ）において、前記複数のＯＮＵのいずれか１つと接続されている光ファイバ（９３＿３）の設置又は保守のために用いられる光測定装置であって、
前記光ファイバが接続可能な第１の接続部（１）と、
前記第１の波長、第２の波長又は第３の波長のいずれとも異なる第４の波長の光パルスである測定専用光を発生し前記第１の接続部を介して前記光ファイバに向けて出射する第１のレーザモジュール（５）と、
前記光ファイバから前記第１の接続部を介して入射される前記測定専用光の戻り光を受けて当該戻り光を電気信号に変換する第１の受光器（７）と、
前記電気信号に基づいて前記第１の受光器で受光した光の光強度を測定する光強度測定部（２１）と、
前記光強度測定部で測定した光強度に基づいて、前記光ファイバの特性を測定するＯＴＤＲ（Ｏｐｔｉｃａｌ  Ｔｉｍｅ  Ｄｏｍａｉｎ  Ｒｅｆｌｅｃｔｏｍｅｔｅｒ）測定部（２２）と
を備えた光測定装置（１０１、１０２）において、
前記第１の波長の光パルスである第１の通信波長測定光と前記第３の波長の光パルスである第３の通信波長測定光とを選択的に発生する第２のレーザモジュール（６）と、
前記第１の接続部からの、前記第１の波長及び／又は前記第２の波長の通信光と、前記測定専用光の戻り光とを含む光を受けて、前記第１の波長及び／又は前記第２の波長の通信光と前記測定専用光の戻り光とに分離する第１の光フィルタ（１１）と、
前記第１の光フィルタで分離された前記第１の波長及び／又は前記第２の波長の通信光を受けて、前記第１の波長の通信光と前記第２の波長の通信光とに分離する第２の光フィルタ（１２）と、
前記第２の光フィルタで分離された前記第１の波長の通信光を受けて、電気信号に変換する第２の受光器（８）と、
前記第２の光フィルタで分離された前記第２の波長の通信光を受けて、電気信号に変換する第３の受光器（９）と、
前記第１のレーザモジュールから出射される前記測定専用光を受けて、前記第１の光フィルタを経由して前記第１の接続部に出射するとともに、前記第１の光フィルタで分離された前記測定専用光の戻り光を受けて、当該戻り光を前記第１の受光器に出射する第１の光カプラ（１４）と、
前記光ファイバと接続可能な第２の接続部（２）と、
前記第２の接続部に前記光ファイバが接続されている場合に、前記第２のレーザモジュールから出射される前記第１の通信波長測定光又は前記第３の通信波長測定光を受けて前記第２の接続部に出射するとともに、前記第２の接続部を介して入射される前記第１の通信波長測定光又は前記第３の通信波長測定光の戻り光を受けて当該戻り光を前記第１の光カプラに出射する第２の光カプラ（１５）と、
前記第２の光カプラから出射される前記第１の通信波長測定光又は前記第３の通信波長測定光、及び前記第２の光フィルタで分離された前記第１の波長の光を受けて前記第２の受光器に出射する第３の光カプラ（１６）と
を備え、
前記第１の光カプラは更に、外部の光源からの光が前記第２の接続部に入射されたとき、前記第２の光カプラを経由した当該光を受けて前記第１のレーザモジュールに出射し、当該光が前記第１のレーザモジュールの端面で反射した反射光を受けて前記第２の光カプラに出射するとともに、前記第１の通信波長測定光又は前記第３の通信波長測定光の戻り光が前記第２の接続部に入射されたとき、前記第２の光カプラを経由した当該戻り光を前記第１の受光器に出射し、
前記第２の受光器は更に、前記第１のレーザモジュールの端面で反射した反射光を前記第１の光カプラ、前記第２の光カプラ、及び前記第３の光カプラを介して受けて電気信号に変換し、
前記光強度測定部は更に、前記第２の受光器又は前記第３の受光器からの前記電気信号に基づいて受光した光の光強度を測定する
ことを特徴とする光測定装置。
【請求項２】
前記第１の光フィルタと前記第２の光フィルタとの間に挿入され、当該第１の光フィルタで分離された前記第１の波長及び／又は前記第２の波長の通信光を受けてこれを分岐させ、分岐された光の一方を前記第２の光フィルタに出射する第４の光カプラ（１７）と、
前記第１の光カプラと前記第２の光カプラとの間に挿入され、前記第１の光カプラから出射された光の一方と前記第４の光カプラから出射された光の他方を受けて前記第２の光カプラに出射するとともに、前記第２の光カプラから出射された光を受けてこれを分岐させ、分岐された光の一方を前記第１の光カプラに、分岐された光の他方を前記第４の光カプラに出射する第５の光カプラ（１８）と
を更に備えたことを特徴とする請求項１に記載の光測定装置。
【請求項３】
前記光ファイバが前記第１の接続部に接続され、前記複数のＯＮＵのいずれか１つが前記第２の接続部に接続されており、かつ、前記ＯＬＴと前記複数のＯＮＵのいずれか１つが通信を保った状態で、
前記ＯＴＤＲ測定部は、前記第２の受光器からの光強度が前記光強度測定部によって測定されない時間にのみ、前記第１のレーザモジュールによって前記光ファイバの特性を測定することを特徴とする、請求項２に記載の光測定装置。
【発明の詳細な説明】
【技術分野】
【０００１】
本発明は、ＯＴＤＲ測定及び光強度測定を行う光測定装置に関する。
【背景技術】
【０００２】
光ファイバの敷設、保守に用いられる測定装置として、ＯＴＤＲ（Ｏｐｔｉｃａｌ  Ｔｉｍｅ  Ｄｏｍａｉｎ  Ｒｅｆｌｅｃｔｏｍｅｔｅｒ）が知られている（例えば、特許文献１参照。）。特許文献１の光測定装置は、被測定光ファイバに接続可能な接続部と、光パルスを発生するレーザモジュールと、被測定光ファイバに入射された光パルスの戻り光を受光する受光器とを備え、ＯＴＤＲ測定を行う。
【０００３】
光ファイバの敷設、保守の現場では、実際に被測定光ファイバの一端に信号光を入射し、被測定光ファイバの他端でこの信号光を受光して、光強度測定装置を用いて光強度の測定も行われる。このように、敷設、保守の担当者は、ＯＴＤＲ測定のほかに、信号光の光源装置や光強度測定装置など、多数の測定装置を準備し、現場に携帯していかなければならなかった。
【０００４】
光源、ＯＴＤＲ測定装置、及び光強度測定装置を一体化した光測定装置として、例えば特許文献２に開示されているような光測定装置がある。
【先行技術文献】
【特許文献】
【０００５】
【特許文献１】特開平６−１６７４１７号公報
【特許文献２】特願２０１０−１４６７２７号
【発明の概要】
【発明が解決しようとする課題】
【０００６】
光アクセスネットワークの方式の一つとして、ＰＯＮ（Ｐａｓｓｉｖｅ  Ｏｐｔｉｃａｌ  Ｎｅｔｗｏｒｋ）がある。このＰＯＮを採用した光アクセスネットワークでは、ＯＬＴ（Ｏｐｔｉｃａｌ  Ｌｉｎｅ  Ｔｅｒｍｉｎａｌ）とＯＮＵ（Ｏｐｔｉｃａｌ  Ｎｅｔｗｏｒｋ  Ｕｎｉｔ）とで１対Ｎ（Ｎは正数）の構成を採っている。このＰＯＮに用いられるデータ通信用の波長としては、上り（ＯＮＵからＯＬＴへ）は１３１０ｎｍ、下り（ＯＬＴからＯＮＵへ）は１４９０ｎｍと、異なる波長が規定されている。さらに最近では、上記波長に加え、ＯＬＴから映像信号を送るための波長として１５５０ｎｍを用いる場合が多くなってきている。このため、ＰＯＮの建設時や保守時には、それぞれの波長の光を弁別してそのパワーを測定する必要がある。
【０００７】
また、一般に光ファイバは通信光の波長によって特性が異なり、ある波長の光では損失が許容範囲であっても、別の波長の光では損失が許容範囲に入らない場合がある。そのため、ＰＯＮの敷設や保守にあたっては、複数の通信光の波長でＯＴＤＲ測定を行うことが通例である。
【０００８】
しかし、特許文献２の光測定装置では、複数の異なる波長の光を弁別してその光強度を測定することや、複数の通信光の波長でＯＴＤＲ測定を行うことはできなかった。複数の異なる波長の光を弁別してその光強度を測定するためだけの用途であれば、ＰＯＮパワーメータと呼ばれる測定装置が利用可能であるが、これだけではＯＴＤＲ測定は行えないし、光源として用いることもできないため、別途ＯＴＤＲ測定装置や光源を準備しなければならなかった。
【０００９】
そこで本発明では、複数の異なる波長の光を弁別して光強度測定を行うことや、複数の通信光の波長でＯＴＤＲ測定を行うことが可能で、かつ、光源としても使用可能な１台の光測定装置の提供を目的とする。
【課題を解決するための手段】
【００１０】
本発明に係る光測定装置は、第１の波長と第２の波長の通信光を発する１つのＯＬＴ（９６）と、第３の波長の通信光を発する複数のＯＮＵ（９７＿１〜９７＿Ｎ）とを接続するＰＯＮにおいて、前記複数のＯＮＵのいずれか１つと接続されている光ファイバ（９３＿３）の設置又は保守のために用いられる光測定装置であって、前記光ファイバが接続可能な第１の接続部（１）と、前記第１の波長、第２の波長又は第３の波長のいずれとも異なる第４の波長の光パルスである測定専用光を発生し前記第１の接続部を介して前記光ファイバに向けて出射する第１のレーザモジュール（５）と、前記光ファイバから前記第１の接続部を介して入射される前記測定専用光の戻り光を受けて当該戻り光を電気信号に変換する第１の受光器（７）と、前記電気信号に基づいて前記第１の受光器で受光した光の光強度を測定する光強度測定部（２１）と、前記光強度測定部で測定した光強度に基づいて、前記光ファイバの特性を測定するＯＴＤＲ測定部（２２）とを備えた光測定装置（１０１、１０２）において、前記第１の波長の光パルスである第１の通信波長測定光と前記第３の波長の光パルスである第３の通信波長測定光とを選択的に発生する第２のレーザモジュール（６）と、前記第１の接続部からの、前記第１の波長及び／又は前記第２の波長の通信光と、前記測定専用光の戻り光とを含む光を受けて、前記第１の波長及び／又は前記第２の波長の通信光と前記測定専用光の戻り光とに分離する第１の光フィルタ（１１）と、前記第１の光フィルタで分離された前記第１の波長及び／又は前記第２の波長の通信光を受けて、前記第１の波長の通信光と前記第２の波長の通信光とに分離する第２の光フィルタ（１２）と、前記第２の光フィルタで分離された前記第１の波長の通信光を受けて、電気信号に変換する第２の受光器（８）と、前記第２の光フィルタで分離された前記第２の波長の通信光を受けて、電気信号に変換する第３の受光器（９）と、前記第１のレーザモジュールから出射される前記測定専用光を受けて、前記第１の光フィルタを経由して前記第１の接続部に出射するとともに、前記第１の光フィルタで分離された前記測定専用光の戻り光を受けて、当該戻り光を前記第１の受光器に出射する第１の光カプラ（１４）と、前記光ファイバと接続可能な第２の接続部（２）と、前記第２の接続部に前記光ファイバが接続されている場合に、前記第２のレーザモジュールから出射される前記第１の通信波長測定光又は前記第３の通信波長測定光を受けて前記第２の接続部に出射するとともに、前記第２の接続部を介して入射される前記第１の通信波長測定光又は前記第３の通信波長測定光の戻り光を受けて当該戻り光を前記第１の光カプラに出射する第２の光カプラ（１５）と、前記第２の光カプラから出射される前記第１の通信波長測定光又は前記第３の通信波長測定光、及び前記第２の光フィルタで分離された前記第１の波長の光を受けて前記第２の受光器に出射する第３の光カプラ（１６）とを備え、前記第１の光カプラは更に、外部の光源からの光が前記第２の接続部に入射されたとき、前記第２の光カプラを経由した当該光を受けて前記第１のレーザモジュールに出射し、当該光が前記第１のレーザモジュールの端面で反射した反射光を受けて前記第２の光カプラに出射するとともに、前記第１の通信波長測定光又は前記第３の通信波長測定光の戻り光が前記第２の接続部に入射されたとき、前記第２の光カプラを経由した当該戻り光を前記第１の受光器に出射し、前記第２の受光器は更に、前記第１のレーザモジュールの端面で反射した反射光を前記第１の光カプラ、前記第２の光カプラ、及び前記第３の光カプラを介して受けて電気信号に変換し、前記光強度測定部は更に、前記第２の受光器又は前記第３の受光器からの前記電気信号に基づいて受光した光の光強度を測定することを特徴とする。
【００１１】
第１の光フィルタと第２の光フィルタによって第４の波長の光、第１の波長の光、及び第２の波長の光が分離されるので、複数の異なる波長の光を弁別して光強度測定を行うことができる。また、第２のレーザモジュールが第１又は第３の波長の光を選択的に発生させるので、複数の通信光の波長でＯＴＤＲ測定を行うことができる。更に、第１のレーザモジュールと第２のレーザモジュールを備えているので、本発明に係る光測定装置は複数波長の光源としても使用可能である。
【００１２】
本発明に係る測定装置はまた、前記第１の光フィルタと前記第２の光フィルタとの間に挿入され、当該第１の光フィルタで分離された前記第１の波長及び／又は前記第２の波長の通信光を受けてこれを分岐させ、分岐された光の一方を前記第２の光フィルタに出射する第４の光カプラ（１７）と、前記第１の光カプラと前記第２の光カプラとの間に挿入され、前記第１の光カプラから出射された光の一方と前記第４の光カプラから出射された光の他方を受けて前記第２の光カプラに出射するとともに、前記第２の光カプラから出射された光を受けてこれを分岐させ、分岐された光の一方を前記第１の光カプラに、分岐された光の他方を前記第４の光カプラに出射する第５の光カプラ（１８）とを更に備えてもよい。
【００１３】
これにより、前記光ファイバを前記第１の接続部に接続し、前記複数のＯＮＵのいずれか１つを前記第２の接続部に接続すれば、前記ＯＬＴと前記複数のＯＮＵのいずれか１つが互いに通信を保つことができる。
【００１４】
本発明に係る測定装置はまた、前記光ファイバが前記第１の接続部に接続され、前記複数のＯＮＵのいずれか１つが前記第２の接続部に接続されており、かつ、前記ＯＬＴと前記複数のＯＮＵのいずれか１つが通信を保った状態で、前記ＯＴＤＲ測定部は、前記第２の受光器からの光強度が前記光強度測定部によって測定されない時間にのみ、前記第１のレーザモジュールによって前記光ファイバの特性を測定するようにしてもよい。
【００１５】
これにより、ＯＬＴとＯＮＵが通信状態を保ったまま、ＯＴＤＲ測定を行うことができる。
【発明の効果】
【００１６】
本発明によれば、複数の異なる波長の光を弁別して光強度測定を行うことや、複数の通信光の波長でＯＴＤＲ測定を行うことが可能で、かつ、光源としても使用可能な１台の光測定装置の提供することができる。
【図面の簡単な説明】
【００１７】
【図１】ＰＯＮの模式図を示す。
【図２】実施形態１に係る光測定装置の一例を示す。
【図３】実施形態２に係る光測定装置の一例を示す。
【発明を実施するための形態】
【００１８】
（実施形態１）
実施形態１は、本発明に係る光測定装置１０１を用いて、複数の通信光の波長でＯＴＤＲ測定を行うものである。
【００１９】
図１に、ＰＯＮの模式図を示す。センタ側のＯＬＴ９１と加入者側の複数のＯＮＵ９７＿１〜９７＿Ｎとが光スプリッタ９２で接続されている。複数のＯＮＵ９７＿１〜９７＿Ｎはそれぞれ、光ファイバ９３＿１〜９３＿Ｎを介して光スプリッタ９２と接続されている。ＯＬＴ９１からはデータ信号用として波長１４９０ｎｍの通信光と、映像信号用として波長１５５０ｎｍの通信光が送出されている。また、複数のＯＮＵ９７＿１〜９７＿Ｎからはそれぞれ、波長１３１０ｎｍの通信光が送出されている。
【００２０】
図２に、実施形態１に係る本発明の光測定装置１０１を示す。本実施形態１に係る光測定装置１０１は、第１の接続部１と、第２の接続部２と、第１のレーザモジュール５と、第２のレーザモジュール６と、第１の受光器７と、第２の受光器８と、第３の受光器９と、第１の光フィルタ１１と、第２の光フィルタ１２と、第１の光カプラ１４と、第２の光カプラ１５と、第３の光カプラ１６と、光強度測定部２１と、ＯＴＤＲ測定部２２とを備えている。
【００２１】
第１のレーザモジュール５は、実施形態１では使用されないが、波長１６５０ｎｍのパルス光である測定専用光を出射する。
【００２２】
第２のレーザモジュール６は、波長１５５０ｎｍの光パルスである第１の通信波長測定光と波長１３１０ｎｍの光パルスである第３の通信波長測定光とを選択的に出射する。この第２のレーザモジュール５は、例えば１つの波長可変レーザモジュールで構成されても良いし、例えば波長１５５０ｎｍのレーザモジュールと波長１３１０ｎｍのレーザモジュールと光スイッチとから構成されても良い。
【００２３】
第１の受光器７は、後述する戻り光の光強度を測定するための物であり、受光した光を電気信号に変換する。第１の受光器７は、例えばＡＰＤ（Ａｖａｌａｎｃｈｅ  Ｐｈｏｔｏ  Ｄｉｏｄｅ）で構成される。
【００２４】
第２の受光器８及び第３の受光器９は、実施形態１では使用されないが、通信光の光強度を測定するための物であり、受光した光を電気信号に変換する。第２の受光器８及び第３の受光器９は、例えばＰＩＮ型フォトダイオードで構成される。
【００２５】
第１の光フィルタ１１は、実施形態１では使用されないが、後述する波長１６５０ｎｍの戻り光と通信光とを分離するための物である。その入力側ポート１１１は第１の接続部１に接続されている。また、その出力側の第１のポート１１２には波長１６５０ｎｍよりも短い波長の光が出力されるようになっており、第１の光フィルタ１２に接続されている。さらに、その出力側の第２のポート１１３には波長１６５０ｎｍ以上の光が出力されるようになっており、第１の光カプラ１４に接続されている。
【００２６】
第２の光フィルタ１２も実施形態１では使用されないが、波長１４９０ｎｍの通信光と、波長１５５０ｎｍの通信光とを分離するための物である。その入力側ポート１２１は第１の光フィルタ１１に接続されている。また、その出力側の第１のポート１２２には波長１４９０ｎｍよりも長い波長の光が出力されるようになっており、第２の受光器８に接続されている。さらに、その出力側の第２のポート１２３には波長１４９０ｎｍ以下の光が出力されるようになっており、第３の受光器９に接続されている。
【００２７】
第１の光カプラ１４は、両端にそれぞれ２ポート（１４１、１４２、１４３、１４４）を有し、一端の第１のポート１４１は第１のレーザモジュール５に、第２のポート１４２は第１の受光器７に接続されている。また、他端の第１のポート１４３は第２の光カプラ１５に、第２のポート１４４は第１の光フィルタ１１に接続されている。
【００２８】
第２の光カプラ１５は、両端にそれぞれ２ポート（１５１、１５２、１５３、１５４）を有し、一端の第１のポート１５１は第２のレーザモジュール６に、第２のポート１５２は第１の光カプラ１４に接続されている。また、他端の第１のポート１５３は第２の接続部２に、第２のポート１５４は第３の光カプラ１６に接続されている。
【００２９】
第３の光カプラ１６は、一端に２ポート（１６１、１６２）、他端に１ポート１６３を有し、一端の第１のポート１６１は第２の光カプラ１５に、第２のポート１６２は第２の光フィルタ１２に接続されている。また、他端のポート１６３は第２の受光器８に接続されている。
【００３０】
光強度測定部２１は第１の受光器７、第２の受光器８、及び第３の受光器９のそれぞれが変換した電気信号に基づいて、各受光器７〜９で受光した光の光強度を測定する。
【００３１】
ＯＴＤＲ測定部２２は光強度測定部２１が測定した測定結果に基づき、ＯＴＤＲ測定を行う。
【００３２】
今、図１のＯＮＵ９７＿３と光スプリッタ９２とを接続するための光ファイバ９３＿３に対して、ＯＴＤＲ測定を行う。そのために、光ファイバ９３＿３のＯＮＵ９７＿３側の一端が切断され、実施形態１に係る光測定装置１０１の第２の接続部２に接続される。
【００３３】
この場合、実施形態１に係る光測定装置１０１の第１のレーザモジュール５は起動されず、第２のレーザモジュール６から、波長１５５０ｎｍの光パルスである第１の通信波長測定光、又は波長１３１０ｎｍの光パルスである第３の通信波長測定光が選択的に出射される。
【００３４】
この第１又は第３の通信波長測定光は、第２の光カプラ１５を経由して第２の接続部２から、光ファイバ９３＿３に出射される。光ファイバ９３＿３に入射した通信波長測定光は、光ファイバ９３＿３を伝搬する間にレイリー散乱等や反射点による反射を生じさせ、光ファイバ９３＿３から第２の接続部２に向かう戻り光が発生する。
【００３５】
この戻り光は第２の接続部２から第２の光カプラ１５と第１の光カプラ１４とを経由して、第１の受光器７に入射する。
【００３６】
第１の受光器７に入射した戻り光の光強度を光強度測定部２１で測定し、その測定結果に基づいてＯＴＤＲ測定部２２がＯＴＤＲ測定を行うことにより、光ファイバ９３＿３に対する、第１の通信波長測定光又は第３の通信波長測定光によるＯＴＤＲ測定が、１台の実施形態１に係る光測定装置１０１で実現される。
【００３７】
なお、実施形態１では、光ファイバ９３＿３が光スプリッタ９２を介してＯＬＴ９６と接続されており、かつ、ＯＬＴ９６が運用されている間は、ＯＬＴ９６からの通信光と実施形態１に係る光測定装置１０１の第１の通信波長測定光とが互いに影響するので、光ファイバ９３＿３のＯＴＤＲ測定はできない。
【００３８】
（実施形態２）
実施形態２では、波長１６５０ｎｍの測定専用光によって、光ファイバ９３＿３に対するＯＴＤＲ測定を行う。実施形態２に係る光測定装置の構造は、図２に示されている実施形態１に係る光測定装置１０１と同じである。ただし、光ファイバ９３＿３の一端は、光測定装置１０１の第１の接続部１に接続される。
【００３９】
実施形態２に係る光測定装置１０１では第２のレーザモジュール６は起動されず、第１のレーザモジュール５から、波長１６５０ｎｍの測定専用光が出射される。
【００４０】
この測定専用光は、第１の光カプラ１４及び第１の光フィルタ１１を経由して第１の接続部１から、光ファイバ９３＿３に出射される。光ファイバ９３＿３に発生した戻り光は第１の接続部１から第１の光フィルタ１１及び第１の光カプラ１４を経由して、第１の受光器７に入射する。
【００４１】
第１の受光器７に入射した戻り光の光強度を光強度測定部２１で測定し、その測定結果に基づいてＯＴＤＲ測定部２２がＯＴＤＲ測定を行うことにより、光ファイバ９３＿３に対する、測定専用光によるＯＴＤＲ測定が実現される。
【００４２】
なお、実施形態２では、測定専用光の戻り光に加えて、第１〜第３の通信光が第１の接続部１に入射したとしても、第１の光フィルタ１１が波長１６５０ｎｍよりも短い光を分離して出力側の第１のポート１１２に出力し、出力側の第２のポート１１３にはほぼ測定専用光の戻り光のみが出力される。このため、ＯＬＴ９１が運用中であっても、通信光に影響されることなくＯＴＤＲ測定を行うことができる。
【００４３】
（実施形態３）
本発明に係る光測定装置１０１は波長１３１０ｎｍ、１５５０ｎｍ又は１６５０ｎｍの光源としても使用できる。実施形態３に係る光測定装置の構造は、図２に示されている実施形態１に係る光測定装置１０１と同じである。光源からの光を必要とする光装置は、実施形態３に係る光測定装置１０１の第２の接続部２に接続される。
【００４４】
実施形態３に係る光測定装置１０１を波長１３１０ｎｍ又は１５５０ｎｍの安定化光源として使用する場合は、第２のレーザモジュール６を起動する。第２のレーザモジュール６から選択的に出射された波長１３１０ｎｍ又は１５５０ｎｍの光は、第２の光カプラ１５の一端の第１のポート１５１に入射し、他端の第１のポート１５３から第２の接続部２に出射されるとともに、他端の第２のポート１５４から第２の受光器８に入射される。
【００４５】
第２の受光器８に入射した光の光強度は光強度測定部２１で測定される。図示しない光強度安定制御部によって、光強度測定部２１で測定された光強度を一定に保つように、第２のレーザモジュール６に入力される電流を制御することにより、第２の接続部２から出射される光の光強度を一定に保つことができる。
【００４６】
また、実施形態３に係る光測定装置１０１を波長１６５０ｎｍの光源として使用する場合は、第１のレーザモジュール５を起動する。第１のレーザモジュール５から出射された波長１６５０ｎｍの光は、第１の光カプラ１４及び第２の光カプラ１５を経由して第２の接続部２に出射されるとともに、第２の光カプラ１５から第２の受光器８に入射される。光強度安定制御部によって、光強度測定部２１で測定された光強度を一定に保つように、第１のレーザモジュール５に入力される電流を制御することにより、第２の接続部２から出射される光の光強度を一定に保つことができる。
【００４７】
（実施形態４）
本発明に係る光測定装置１０１は外部の光源による高出力の光の光強度測定装置としても使用できる。実施形態４に係る光測定装置の構造は、図２に示されている実施形態１に係る光測定装置１０１と同じである。高出力の光は、実施形態４に係る光測定装置１０１の第２の接続部２に入射される。
【００４８】
第２の接続部２に入射した高出力の光は、第２の光カプラ１５及び第１の光カプラ１４を経由して、第１のレーザモジュール５に入射される。このとき、高出力の光が第１の受光器７に入射しないように、第１の光カプラ１４と第１の受光器７との間に光シャッタを設けて、実施形態４に係る光強度測定装置として使用される場合にはこの光シャッタを閉じるようにしても良い。
【００４９】
第１のレーザモジュール５に入射した高出力の光は、第１のレーザモジュール５の端面で反射し、再び第１の光カプラ１４に戻り、第２の光カプラ１５を経由して第２の受光器８に入射される。光強度測定部２１は、第２の受光器８に入射した光の光強度を測定する。そして、光強度測定部２１は、予め記憶した補正値で、測定された光強度を補正する。補正値は、例えば、第２の接続部２に入射する光の光強度と第２の受光器８で測定された光強度との差分を予め波長ごとに測定しておき、光強度測定部２１に格納しておく。これによって、実施形態４に係る光測定装置１０１は、外部の光源による高出力の光の光強度測定を行うことができる。
【００５０】
（実施形態５）
本発明に係る光測定装置１０１はＯＬＴ９６からの波長１４９０ｎｍ及び波長１５５０ｎｍの通信光を弁別して光強度測定を行うこともできる。実施形態５に係る光測定装置の構造は、図２に示されている実施形態１に係る光測定装置１０１と同じである。ＯＬＴ９６からの通信光は、実施形態５に係る光測定装置１０１の第１の接続部１に入射される。
【００５１】
第１の接続部１に入射された通信光は第１の光フィルタ１１の出力側の第１のポート１１２に出力され、第２の光フィルタ１２に入射される。第２の光フィルタに入射された通信光のうち、波長１５５０ｎｍの通信光は第２の光フィルタ１２の出力側の第１のポート１２２に出力され、第３の光カプラ１６を経由して第２の受光器８に入射される。光強度測定部２１は、第２の受光器８に入射された光の光強度を測定する。
【００５２】
また、第２の光フィルタに入射された通信光のうち、波長１４９０ｎｍの通信光は第２の光フィルタ１２の出力側の第２のポート１２３に出力され、第３の受光器９に入射される。光強度測定部２１は、第３の受光器９に入射された光の光強度を測定する。これによって、実施形態５に係る光測定装置１０１は、ＯＬＴ９６からの波長１４９０ｎｍ及び波長１５５０ｎｍの通信光を弁別して光強度測定を行うことができる。
【００５３】
（実施形態６）
実施形態６に係る光測定装置は、ＯＬＴ９６とＯＮＵ９７＿３との通信状態を保ったまま、波長１６５０ｎｍの測定専用光によるＯＴＤＲ測定を実現するためのものである。
【００５４】
図３に、実施形態６に係る本発明の光測定装置１０２を示す。本実施形態６に係る光測定装置１０２は、実施形態１〜実施形態５に係る本発明の光測定装置１０１の構成に、第４の光カプラ１７と、第５の光カプラ１８が追加されている。
【００５５】
第４の光カプラ１７は、一端に１ポート１７１、他端に２ポート（１７２、１７３）を有し、一端のポート１７１は第１の光フィルタ１１の出力側の第１のポート１１２に接続されている。また、他端の第１のポート１７２は第２の光フィルタ１２の入力側ポート１２１に、第２のポート１７３は第５の光カプラ１８に接続されている。
【００５６】
第６の光カプラ１８は、一端に２ポート（１８１、１８２）、他端に１ポート１８３を有し、一端の第１のポート１８１は第４の光カプラ１７に、第２のポート１８２は第１の光カプラ１４に接続されている。また、他端のポート１８３は第２の光カプラ１５に接続されている。
【００５７】
ＯＴＤＲ測定される光ファイバ９７＿３は、第１の接続部１に接続される。さらに、ＯＮＵ９７＿３は第２の接続部２に接続される。ＯＬＴ９６からの波長１４９０ｎｍ及び波長１５５０ｎｍの通信光は第１の接続部１から入射し、第１の光フィルタ１１、第４の光カプラ１７、第５の光カプラ１８、第２の光カプラ１５を経由して、第２の接続部２からＯＮＵ９７＿３に出射される。また、ＯＮＵ９７＿３からの波長１３１０ｎｍの通信光は第２の接続部２から入射した後、前記と逆の経路を経由して、第１の接続部１からＯＬＴ９６に出射される。これによって、実施形態６に係る光測定装置１０２がＯＴＤＲ測定中であっても、ＯＬＴ９６とＯＮＵ９７＿３は通信状態を保つことができる。
【００５８】
ＯＬＴ９６から第１の接続部１に入射した通信光は、第１の光フィルタ１１によって出力側の第２のポート１１３には出力されないため、ＯＴＤＲ測定中の第１の受光器７には影響を与えない。しかし、ＯＮＵ９７＿３から第２の接続部２に入射した通信光は、第１の受光器７にも入射してしまい、そのままではＯＴＤＲ測定に影響を及ぼす。このＯＮＵ９７＿３からの通信光の影響を除去するための方法を以下に説明する。
【００５９】
ＰＯＮでは、複数のＯＮＵ９７＿１〜ＯＮＵ９７＿Ｎからの通信光は時分割多重されている。そのため、ＯＮＵ９７＿３からの通信光は、バースト状に出力されている。ここで、実施形態４で説明されている方法によって、第１のレーザモジュール５の端面で反射した通信光を第２の受光器８で受光して光強度測定部２１で測定することにより、バースト状の通信光が入射しているか否かを知ることができる。そして、バースト状の通信光が入射していない時間にのみ、実施形態２で説明されている方法によって、波長１６５０ｎｍの測定専用光によるＯＴＤＲ測定を行えば、ＯＬＴ９６とＯＮＵ９７＿３が通信状態を保ったまま正確にＯＴＤＲ測定を実現できる。
【００６０】
以上のように、本発明に係る光測定装置は１台で、複数の異なる波長の光を弁別して光強度測定を行うことや、複数の通信光の波長でＯＴＤＲ測定を行うことが可能で、かつ、光源としても使用可能であるため、光ファイバの敷設や保守に携帯する装置の数を減らすことができる。また、本発明に係る光測定装置は多くの構成部品が複数の機能に共用されているため、単機能の装置の集積よりも小型化でき、装置コストの低減にも貢献する。さらに、実施形態６に係る光測定装置１０２は、ＯＬＴとＯＮＵの通信状態を保ったままで光ファイバのＯＴＤＲ測定を行うことができ、光ファイバの監視用途等にも使用可能である。
【産業上の利用可能性】
【００６１】
本発明は、情報通信産業に適用することができる。
【符号の説明】
【００６２】
１：第１の接続部
２：第２の接続部
５：第１のレーザモジュール
６：第２のレーザモジュール
７：第１の受光器
８：第２の受光器
９：第３の受光器
１１：第１の光フィルタ
１２：第２の光フィルタ
１４：第１の光カプラ
１５：第２の光カプラ
１６：第３の光カプラ
１７：第４の光カプラ
１８：第５の光カプラ
２１：光強度測定部
２２：ＯＴＤＲ測定部
９２：光スプリッタ
９６：ＯＬＴ
９７＿１〜９７＿Ｎ：ＯＮＵ
【図１】
0005564027.tif 000002
【図２】
0005564027.tif 000003
【図３】
0005564027.tif 000004